(57)【要約】【課題】  画像情報読取装置の大型化を招くことなく、画像１枚分の画像情報を読み取るために必要な時間を短縮する。【解決手段】  光照射部２１は、多数のＬＥＤがＺ方向に線状に配列されたライン光源が２０個配置されている。読取時には、光照射部２１をＹ方向へ５００mm／ｓの速度で移動させながら、各ライン光源から読取光Ｌ１を順次１０μｓ間づつ射出させる。各ライン光源は、２００μｓ毎に１０μｓ間読取光Ｌ１を射出することを２００回行う。画像記録媒体１０上の露光部位は１回毎に０．１mmＹ方向へ移動し、２００回終了後には、２０mmＹ方向へ移動している。ライン光源は２０mm間隔で配設されているため、画像記録媒体１０の全面を読取光Ｌ１で走査露光したこととなる。信号処理部５４は、読み出した画像信号と露光部位情報に基づいて、画像１枚分の画像情報を作成する。【選択図】          図１
2005077777.tif 000002
【特許請求の範囲】
【請求項１】
画像情報が静電潜像として記録された画像記録媒体をライン光源から射出される読取光で前記ライン光源の長手方向と交わる走査方向へ走査露光することにより前記画像情報を読み取る画像情報読取装置であって、
前記画像記録媒体に対して前記読取光を射出する、前記走査方向に離間させて配置された複数のライン光源を有する光照射手段と、
前記画像記録媒体と前記光照射手段とを相対的に前記走査方向へ移動させる移動手段と、
前記光照射手段および前記移動手段の動作を制御し、前記各ライン光源から異なるタイミングで順次読取光を射出させながら、前記画像記録媒体と前記光照射手段とを相対的に前記走査方向へ移動させる走査露光制御手段とを備えたことを特徴とする画像情報読取装置。
【請求項２】
前記光照射手段が、エンドレスベルトと該エンドレスベルト上に配設されたライン光源とからなり、
前記移動手段が、前記エンドレスベルトを回転移動させるベルト回転手段であることを特徴とする請求項１記載の画像情報読取装置。
【発明の詳細な説明】
【技術分野】
【０００１】
本発明は、画像情報が静電潜像として記録された画像記録媒体をライン光源から射出される読取光で前記ライン光源の長手方向と交わる走査方向へ走査露光することにより前記画像情報を読み取る画像情報読取装置に関するものである。
【背景技術】
【０００２】
従来より、医療用Ｘ線撮影において、被験者が受ける被爆線量の減少、診断性能の向上等のために、Ｘ線に感応する例えばａ−Ｓｅから成るセレン板等の光導電体を静電記録体として用い、静電記録体に放射線画像情報を担持するＸ線等の放射線を照射して、放射線画像情報を担持する潜像電荷を静電記録体に蓄積せしめ、ライン光源から射出される読取光で静電記録体を走査し、静電記録体内に生じる電流をストライプ電極を介して検出することにより、潜像電荷が担持する静電潜像、すなわち放射線画像情報を読み取るシステムが知られている（例えば特許文献１または特許文献２参照）。
【特許文献１】特開２０００−１０５２９７号公報
【特許文献２】特開２００１−２９２９８３号公報
【発明の開示】
【発明が解決しようとする課題】
【０００３】
上記のように、画像記録媒体上にライン光源から射出された読取光を走査露光せしめ、画像記録媒体から画像情報を読み取る場合には、通常ライン光源から読取光を射出させながら、該ライン光源を機械的に走査方向へ移動させる。画像１枚分の画像情報を読み取るために必要な時間を短縮するためには、ライン光源の移動速度を高速化することが望ましい。しかしながら、機械的にライン光源を移動させるためには、画像情報を読み取るために必要な走査スペースに加え、ライン光源を加速および減速させるための非走査スペースが必要となる。すなわち、ライン光源の移動速度を高速化すると、読取装置が大型化してしまうという問題がある。
【０００４】
本発明は、上記のような問題点に鑑みて、装置の大型化を招くことなく、画像１枚分の画像情報を読み取るために必要な時間を短縮することのできる画像情報読取装置を提供することを目的とする。
【課題を解決するための手段】
【０００５】
本発明の画像情報読取装置は、画像情報が静電潜像として記録された画像記録媒体をライン光源から射出される読取光で前記ライン光源の長手方向と交わる走査方向へ走査露光することにより前記画像情報を読み取る画像情報読取装置であって、
前記画像記録媒体に対して前記読取光を射出する、前記走査方向に離間させて配置された複数のライン光源を有する光照射手段と、
前記画像記録媒体と前記光照射手段とを相対的に前記走査方向へ移動させる移動手段と、
前記光照射手段および前記移動手段の動作を制御し、前記各ライン光源から異なるタイミングで順次読取光を射出させながら、前記画像記録媒体と前記光照射手段とを相対的に前記走査方向へ移動させる走査露光制御手段とを備えたことを特徴とするものである。
【０００６】
前記光照射手段が、エンドレスベルトと該エンドレスベルト上に配設されたライン光源とからなるものであれば、前記移動手段としては、前記エンドレスベルトを回転移動させるベルト回転手段をもちいてもよい。
【発明の効果】
【０００７】
本発明の読取用露光装置は、画像記録媒体に対して読取光を射出する、走査方向に離間させて配置された複数のライン光源を有する光照射手段と、画像記録媒体と光照射手段とを相対的に移動させる移動手段とを備え、ライン光源から異なるタイミングで順次読取光を射出させながら、画像記録媒体と光照射手段とを相対的に走査方向へ移動させることにより、光照射手段の移動速度を高速化することなく、すなわち読取装置を大型化することなく、短時間に画像記録媒体の全面を読取光により走査露光でき、画像１枚分の画像の画像情報を読み取るために必要な時間を短縮することができる。
【０００８】
光照射手段が、エンドレスベルトと該エンドレスベルト上に配設されたライン光源とからなるものであり、移動手段としてエンドレスベルトを回転移動させるベルト回転手段を用いれば、容易に光照射手段を移動させることができる。
【発明を実施するための最良の形態】
【０００９】
以下、図面を参照して本発明の実施の形態について説明する。図１は本発明の第１の実施の形態である画像情報記録読取装置の概略構成図である。
【００１０】
図１に示すように、この画像情報記録読取装置１は、４００mm×４００mmの静電潜像を記録可能な画像記録媒体１０と、該画像記録媒体１０を読取光Ｌ１または前露光光Ｌ２により走査露光する走査露光部２０と、該走査露光部２０の動作を制御する走査露光制御部４０と、画像記録媒体１０の画像情報を読み出す読出部５０と、記録光である放射線Ｌ３を照射する放射線照射部６０と、走査露光制御部４０、読出部５０および放射線照射部６０と接続された制御部７０とを有している。
【００１１】
画像記録媒体１０は、画像情報を担持する被写体を透過した放射線Ｌ３（例えば、Ｘ線等）が第１電極層（導電体層）１１に照射されることにより記録用光導電層１２内に電荷が発生し、この発生した電荷を記録用光導電層１２と電荷輸送層１３との界面である蓄電部１９に潜像電荷として蓄積し、読取光Ｌ１で第２電極層（導電体層）１５が走査されることにより読取用光導電層１４内に電荷が発生し前記潜像電荷と電荷再結合して潜像電荷の量に応じた電流を発生するものである。なお、第２電極層１５の外側には読取光Ｌ１および前露光光Ｌ２を透過する透明支持体１７が設けられている。
【００１２】
第２電極層１５は、多数の線状電極（図中の斜線部）がストライプ状に配列されて成るものである。以下第２電極層１５の電極をストライプ電極１６といい、各線状電極をエレメント１６ａという。記録用光導電層１２、電荷輸送層１３、および読取用光導電層１４には、アモルファス状の物質としてのａ−Ｓｅを主成分とするものを使用する。なお、図１に示すように、記録用光導電層１２、電荷輸送層１３、読取用光導電層１４、第２電極層１５および、透明支持体１７の積層方向をＸ方向、ストライプ電極１６の長手方向をＹ方向、ＸＹ平面と直交する方向をＺ方向とする。
【００１３】
走査露光部２０は、２０個のライン状の読取光光源２３と２０個のライン状の前露光光源２５を有し、画像記録媒体１０に読取光光源２３から異なるタイミングで順次射出される読取光Ｌ１または前露光光源２５から同時に射出される前露光光Ｌ２を照射する光照射部２１と、該光照射部２１を走査方向へ移動させる移動部２２とを備えている。
【００１４】
図２は、光照射部２１のＸＹ平面における部分断面図であり、光照射部２１は、読取光光源２３と前露光光源２５とが略１０mmおきに交互にそれぞれ２０個づつ配置されている。読取光光源２３は、波長約４６０nmで発光する多数のＬＥＤがＺ方向に線状に配列された４００mmのライン光源２６と、Ｚ方向に延びた２枚のシリンドリカルレンズから成り、ライン光源２６から射出された光、すなわち読取光Ｌ１を画像記録媒体１０上にライン状（Ｚ方向）に結像させる結像光学系２４とから構成されている。なお、結像光学系２４は、ライン光源２６と不図示の取付部品により固定されている。前露光光源２５は、長さ約４００mmであり、波長約４６０nmで発光する多数のＥＬ（エレクトリック・ルミネセンス）がＺ方向に線状に配列されている。読取光光源２３および前露光光源２５は、共にＸ方向に光を射出するものであり、並んで一体形成されている。
【００１５】
移動部２２は、走査露光制御部４０の制御により、光照射部２１をＹ方向へ移動するものである。なお、図２に示すように、各光源は２０mm置きに配置されているため、画像情報を読み取るために必要な光照射部２１の最小移動距離は２０mmであるが、実際の移動距離としては、最小移動距離に光照射部２１を加速または減速するための移動距離を加算する必要がある。本実施の形態では、移動部２２は、光照射部２１をＹ方向へ、略１００mmほど往復移動させることができる。
【００１６】
走査露光制御部４０は、読取走査を指示する制御信号Ａ１が入力されると、読取光光源２３のライン光源２６から異なるタイミングで順次読取光Ｌ１を射出させながら、光照射部２１を図２における左端から右方向へ移動させる。また前露光走査を指示する制御信号Ａ２が入力されると、全ての前露光光源２５から前露光光Ｌ２を射出させながら光照射部２１を図２における右端から左方向へ移動させる。なお、より詳細な制御動作については後述する。
【００１７】
読出部５０は、ストライプ電極１６の各エレメント１６ａ毎に、反転入力端子に接続された電流検出アンプ５１を多数有している。画像記録媒体１０の第１電極層１１はスイッチ５２の一方の入力および電源５３の負極に接続されており、電源５３の正極はスイッチ５２の他方の入力に接続されている。スイッチ５２の出力は各電流検出アンプ５１を構成する不図示のオペアンプの非反転入力端子に共通に接続されている。
【００１８】
読取走査時には、読取光Ｌ１がストライプ電極１６側に照射（走査露光）されることにより、各電流検出アンプ５１は、各エレメント１６ａに流れる電流を、接続された各エレメント１６ａについて同時（並列的）に検出する。検出結果は、信号処理部５４に出力される。信号処理部５４は、走査露光制御部４０から読取光Ｌ１による露光部位情報を順次入力し、電流検出アンプ５１から入力された検出結果と露光部位情報を組み合わせて記憶し、読取走査終了後に、検出結果および、露光部位情報に基づいて、画像１枚分の画像情報を作成する。
【００１９】
なお、電流検出アンプ５１の構成の詳細については、本発明の要旨に関係がないのでここでは詳細な説明を省略するが、周知の構成を種々適用することが可能である。電流検出アンプ５１の構成によっては、スイッチ５２および電源５３並びに各エレメント１６ａとの接続態様が上記とは異なるものとなるのは勿論である。なお、本実施の形態においては、スイッチ５２は、画像記録を指示する制御信号Ｂ１が入力されると、電源５３側に切り換えられ、読取を指示する制御信号Ｂ２が入力されると、第１電極層１１側に切り換えられる。
【００２０】
放射線照射部６０は、放射線Ｌ３を発する放射線源６１と放射線源６１を駆動する電力を発生する高電圧発生器６２とからなる。
【００２１】
高電圧発生器６２は、放射線照射を指示する制御信号Ｃ１が入力されたときには高圧ＨＶを放射線源６１に供給し、放射線源６１から放射線Ｌ３を所定時間発生させる。
【００２２】
なお、制御部７０からは、走査露光制御部４０に向けて制御信号Ａ１またはＡ２が、スイッチ５２に向けて制御信号Ｂ１またはＢ２が、高電圧発生器６２に向けて制御信号Ｃ１が夫々出力される。
【００２３】
以下、上記構成の画像情報記録読取装置１の作用について説明する。この本発明を適用した装置１においては、静電潜像を画像記録媒体１０に記録するに際しては、画像記録媒体１０への記録用電圧の印加開始の前に、前露光光Ｌ２が照射され、空読みが行われる。
【００２４】
具体的には、まず制御部７０はスイッチ５２に制御信号Ｂ２を出力する。制御信号Ｂ２が入力されると、スイッチ５２は第１電極層１１側に切り換えられ、電流検出アンプ５１を構成する不図示のオペアンプのイマジナリーショートを介して第１電極層１１の電極とストライプ電極１６とが実質的にショートされ、両電極が同電位にされる。次に、走査露光制御部４０に制御信号Ａ２を出力する。
【００２５】
走査露光制御部４０は、移動部２２を制御して、全ての前露光光源２５から前露光光Ｌ２を射出させながら光照射部２１を図２における右端から左方向へ２０mm移動させる。前露光光源２５は２０mm間隔で配設されているため、光照射部２１を２０mm移動させることにより、画像記録媒体１０の全面が前露光光Ｌ２により走査露光される。この前露光光Ｌ２による走査露光により、画像記録媒体１０の読取用光導電層１４に対する空読みが行われ、読取用光導電層１４の光入射界面（電子−ホールペア形成領域）には、光疲労状態（トラップ蓄積状態）が一時的に形成されるようになり、読取光Ｌ１を照射した際に生じ得る光起電力ノイズが前記光疲労状態によって低減すると共に安定化するようになる。
【００２６】
空読みを行った後、第１電極層１１の電極とストライプ電極１６との間に記録用電圧を印加した状態で第１電極層１１に記録用の放射線Ｌ３を照射して、画像記録媒体１０に静電潜像の記録を行なう。具体的には、先ず画像記録媒体１０内の記録用光導電層１２で発生した電荷を蓄電部１９に蓄積させることができるように、制御部７０はスイッチ５２に制御信号Ｂ１を出力する。スイッチ５２は、制御信号Ｂ１が入力されると、電源５３側に切り換えられ、画像記録媒体１０の第１電極層１１の電極とストライプ電極１６との間に電源５３から記録用電圧としての所定の大きさの直流電圧が印加される。このため第１電極層１１の電極とストライプ電極１６とは帯電する。
【００２７】
この記録用電圧の印加の後、制御部７０は高電圧発生器６２に、制御信号Ｃ１を入力し、高電圧発生器６２から高圧ＨＶを放射線源６１に供給させ、放射線源６１から放射線Ｌ３を照射させる。この放射線Ｌ３を被写体６５に爆射し、被写体６５を透過した被写体６５の放射線画像情報を担持する放射線Ｌ３を設定された照射時間だけ画像記録媒体１０に照射する。すると、画像記録媒体１０の記録用光導電層１２内で正負の電荷対が発生し、その内の負電荷が所定の電界分布に沿ってストライプ電極１６の各エレメント１６ａに集中せしめられ、記録用光導電層１２と電荷輸送層１３との界面である蓄電部１９に潜像電荷として蓄積される。潜像電荷の量は照射放射線量に略比例するので、この潜像電荷が静電潜像を担持することとなる。一方、記録用光導電層１２内で発生する正電荷は第１電極層１１に引き寄せられて、電源５３から注入された負電荷と電荷再結合し消滅する。
【００２８】
次に、画像記録媒体１０から静電潜像を読み取る際には、制御部７０はスイッチ５２に制御信号Ｂ２を出力し、第１電極層１１の電極とストライプ電極１６とを同電位にする。次に、制御信号Ａ１を走査露光制御部４０に出力する。
【００２９】
走査露光制御部４０は、まず、移動部２２を制御して、光照射部２１を図２における左端へ一旦移動させ、その後右方向へ５００mm／ｓの速度で移動させる。最も左端に配置された読取光光源２３が、画像記録媒体１０の左端に達した時点で、この左端のライン光源２６を１０μｓ間点灯し、読取光Ｌ１を１０μｓ間射出させ、その後順次右隣のライン光源２６から読取光Ｌを１０μｓ間射出させ、右端のライン光源２６から読取光Ｌ１を１０μｓ間射出させた後は、再度左端のライン光源２６から順次読取光Ｌ１を１０μｓ間づつ射出させることを２００サイクル繰り返す。左端のライン光源を点灯させてから、右端のライン光源の点灯を終了するまでの１サイクルで２００μｓ必要であり、２００サイクル行うためには、２００μｓ×２００＝４０ｍｓ必要である。
【００３０】
なお、この間、移動部２２は光照射部２１を右方向へ５００mm／ｓの速度で移動させ続ける。このため、各ライン光源２６は、２００μｓ毎に１０μｓ間読取光Ｌ１を射出することを２００回行う。画像記録媒体１０上の露光部位は１回毎に０．１mm右方向へ移動し、２００回終了後には、２０mm右方向へ移動している。読取光光源２３は２０mm間隔で配設されているため、画像記録媒体１０の全面を読取光Ｌ１で走査露光したこととなる。
【００３１】
この読取光Ｌ１による走査により走査位置に対応するライン光が入射した光導電層１４内に正負の電荷対が発生し、その内の正電荷が蓄電部１６に蓄積された負電荷（潜像電荷）に引きつけられるように電荷輸送層１３内を急速に移動し、蓄電部１６で潜像電荷と電荷再結合し消滅する。一方、光導電層１４に生じた負電荷は電源５３からストライプ電極１６に注入される正電荷と電荷再結合し消滅する。このようにして、画像記録媒体１０の蓄電部１９に蓄積されていた負電荷が電荷再結合により消滅し、この電荷再結合の際の電荷の移動による電流が画像記録媒体１０内に生じる。この電流を各エレメント１６ａ毎に接続された各電流検出アンプ５１が同時に検出し、信号処理部５４に出力する。
【００３２】
読取りの際に画像記録媒体１０内を流れる電流は、潜像電荷すなわち静電潜像に応じたものであるから、この電流を検出することにより静電潜像を読み取る、すなわち静電潜像を表す画像信号を取得することができる。なお、各電流検出アンプ５１による検出は読取光Ｌ１の照射位置の切り換えタイミングと同期させて行う。すなわち、２００サイクル×２０個で４０００ラインの画像信号を取得する。
【００３３】
信号処理部５４は、走査露光制御部４０から、画像記録媒体１０上で読取光Ｌ１により露光された部位である露光部位情報を順次入力し、電流検出アンプ５１から入力された検出結果（画像信号）と露光部位情報を組み合わせて記憶し、読取走査終了後に、検出結果（画像信号）および露光部位情報に基づいて、画像１枚分の画像情報を作成する。なお、例えば画像記録媒体１０の端部に走査方向に沿ったライン状の光検出器を設け、該光検出器の検出結果を読取光Ｌ１による露光部位情報として用いることもできる。
【００３４】
以上の説明で明らかなように、本発明の読取用露光装置は、画像記録媒体１０に対して読取光Ｌ１を射出する２０本のライン光源２６を有する光照射部２１と、画像記録媒体１０に対して光照射部２１を移動させる移動部２２とを備え、ライン光源２６から異なるタイミングで順次読取光Ｌ１を射出させながら、光照射部２１を走査方向へ移動させることにより、光照射部２１の移動速度を高速化することなく、すなわち読取装置を大型化することなく、短時間に画像記録媒体１０の全面を読取光Ｌ１により走査露光でき、画像１枚分の画像情報を読み取るために必要な時間を短縮することができる。
【００３５】
上記のように画像情報の書込および読取を短時間で繰り返すことにより、使用者はＸ線画像をリアルタイムに表示される動画として観察することができる。なお、静止画像を取得するような場合には、各ライン光源２６毎の点灯時間を１ｍｓとしてもよい。この場合には、左端のライン光源を点灯させてから、右端のライン光源の点灯を終了するまでの１サイクルで２０ｍｓ必要であり、２００サイクル行うためには、２０ｍｓ×２００＝４ｓ必要となるが、より高精度な画像情報を取得することができる。
【００３６】
なお、本実施の形態においては、走査露光を行う際に、光照射部２１を移動させたが、これに限定されるものではなく、画像記録媒体１０を移動させてもよいし、あるいは光照射部２１と画像記録媒体１０の両者を移動させてもよい。
【００３７】
次に、図３および図４を参照して本発明の第２の実施形態について説明する。図３においては、図１中の要素と同等の要素には同番号を付してあり、それらについての説明は特に必要の無い限り省略する。
【００３８】
図３は本発明の第２の実施の形態である画像情報記録読取装置の概略構成図である。図３に示すように、この画像情報記録読取装置２は、静電潜像を記録可能な画像記録媒体１０と、該画像記録媒体１０を読取光Ｌ１’または前露光光Ｌ２’により走査露光する走査露光部８０と、該走査露光部８０の動作を制御する走査露光制御部９０と、画像記録媒体１０の画像情報を読み出す読出部５０と、記録光である放射線Ｌ３を照射する放射線照射部６０と、走査露光制御部９０、読出部５０および放射線照射部６０と接続された制御部７０とを有している。
【００３９】
走査露光部８０は、エンドレスベルト８１、該エンドレスベルト８１の外側に配設された２０個のライン状の読取光光源２３からなる読取光照射部８２およびエンドレスベルト８１の外側に配設された２０個のライン状の前露光光源２５からなる前露光照射部８３を有し、画像記録媒体１０に読取光光源２３から異なるタイミングで順次射出される読取光Ｌ１’または前露光光源２５から同時に射出される前露光光Ｌ２’を照射する光照射部８４と、エンドレスベルト８１を回転移動させ、読取光光源２３または前露光光源２５を走査方向へ移動させるベルト回転部８５とを備えている。
【００４０】
図４は、光照射部８４およびベルト回転部８５のＸＹ平面における部分断面図である。エンドレスベルト８１は、該エンドレスベルト８１の画像記録媒体１０に相対する部分が、画像記録媒体１０に対して平行すなわちＹＺ平面に平行に、かつＹ方向へ回転移動するように配置されている。またベルト回転部８５は、エンドレスベルト８１の画像記録媒体１０に相対する面がＹ方向へ移動するように、エンドレスベルト８１を回転移動させる。
【００４１】
走査露光制御部９０は、読取走査を指示する制御信号Ａ１が入力されると、読取光照射部８２を画像記録媒体１０へ相対させ、読取光光源２３のライン光源２６から異なるタイミングで順次読取光Ｌ１’を射出させながら、読取光照射部８２をＹ方向へ移動させる。また前露光走査を指示する制御信号Ａ２が入力されると、前露光照射部８３を画像記録媒体１０へ相対させ、全ての前露光光源２５から前露光光Ｌ２’を射出させながら前露光照射部８３をＹ方向へ移動させる。なお、より詳細な制御動作については後述する。
【００４２】
以下、上記構成の画像情報記録読取装置の動作について説明する。なお、本発明の第２の実施形態における画像情報記録読取装置の作用は、走査露光動作を除いては、第１の実施の形態における画像情報記録読取装置における動作とほぼ同様であるため、走査露光における動作のみ説明する。
【００４３】
まず、第１の実施の形態における画像情報記録読取装置と同様に、静電潜像を画像記録媒体１０に記録するに際しては、画像記録媒体１０への記録用電圧の印加開始の前に、前露光光Ｌ２’が照射され、空読みが行われる。
【００４４】
具体的には、まず制御部７０は制御信号Ｂ２を出力し、第１電極層１１の電極とストライプ電極１６とが実質的にショートされ、両電極が同電位にされる。次に、走査露光制御部９０に制御信号Ａ２を出力する。
【００４５】
走査露光制御部９０は、前露光走査を指示する制御信号Ａ２が入力されると、ベルト回転部８５を回転させ、エンドレスベルト８１の画像記録媒体１０に相対する面をＹ方向へ移動させる。前露光照射部８３が画像記録媒体１０へ相対し、前露光照射部８３の回転方向に対する最後尾に設けられた前露光光源２５が画像記録媒体１０の図４における左端に達した時点で、全ての前露光光源２５から前露光光Ｌ２’を射出させる。画像記録媒体１０を前露光光Ｌ２’により照射しつつ、引き続き前露光照射部８３を移動させる。前露光照射部８３を２０mm移動させた時点で、前露光光Ｌ２’の照射を停止する。前露光光源２５は２０mm間隔で配設されているため、前露光照射部８３を２０mm移動させることにより、画像記録媒体１０の全面が前露光光Ｌ２’により走査露光される。この前露光光Ｌ２’による走査露光により、画像記録媒体１０の読取用光導電層１４に対する空読みが行われ、読取用光導電層１４の光入射界面（電子−ホールペア形成領域）には、光疲労状態（トラップ蓄積状態）が一時的に形成されるようになり、読取光Ｌ１’を照射した際に生じ得る光起電力ノイズが前記光疲労状態によって低減すると共に安定化するようになる。
【００４６】
空読みを行った後、第１電極層１１の電極とストライプ電極１６との間に記録用電圧を印加した状態で第１電極層１１に記録用の放射線Ｌ３を照射して、画像記録媒体１０に静電潜像の記録を行なう。
【００４７】
画像記録媒体１０から静電潜像を読み取る際には、先ず制御信号Ａ１を走査露光制御部９０に出力する。
【００４８】
走査露光制御部９０は、読取走査露光を指示する制御信号Ａ１が入力されると、ベルト回転部８５を回転させ、エンドレスベルト８１の画像記録媒体１０に相対する面をＹ方向へ移動させる。なお、ベルト回転部８５は、移動速度が５００mm／ｓと成るようにエンドレスベルト８１を回転移動させる。読取光照射部８２が画像記録媒体１０へ相対し、読取光照射部８２の回転方向に対する最後尾に設けられた読取光光源２３が、画像記録媒体１０の図４における左端に達した時点で、読取光Ｌ１’の照射を開始する。
【００４９】
まず、回転方向の最後尾である左端に設けられたライン光源２６を１０μｓ間点灯し、読取光Ｌ１’を１０μｓ間射出させ、その後順次右隣のライン光源２６から読取光Ｌを１０μｓ間射出させ、右端のライン光源２６から読取光Ｌ１’を１０μｓ間射出させた後は、再度左端のライン光源２６から順次読取光Ｌ１’を１０μｓ間づつ射出させることを２００サイクル繰り返す。左端のライン光源を点灯させてから、右端のライン光源の点灯を終了するまでの１サイクルで２００μｓ必要であり、２００サイクル行うためには、２００μｓ×２００＝４０ｍｓ必要である。
【００５０】
なお、この間、ベルト回転部８５は、エンドレスベルト８１を５００mm／ｓの速度で移動させ続ける。このため、各ライン光源２６は、０．１mm毎に２００回読取光Ｌ１’を照射させ、２００回終了後には、２０mmＹ方向へ移動している。読取光光源２３は２０mm間隔で配置されているため、画像記録媒体１０の全面を読取光Ｌ１’で走査露光したこととなる。以下第１の実施の形態と同様に、２００サイクル×２０個で４０００ラインの画像信号を取得する。
【００５１】
信号処理部５４は、走査露光制御部９０から読取光Ｌ１’の露光部位情報を順次入力し、画像信号と露光部位情報を組み合わせて記憶し、読取走査終了後に、露光部位情報に基づいて、画像信号を合成し、画像１枚分の画像情報を作成する。なお、第１の実施の形態と同様に、例えば画像記録媒体１０の端部に走査方向に沿ったライン状の光検出器を設け、該光検出器の検出結果を読取光Ｌ１’の露光部位情報として用いることもできる。
【００５２】
以上の説明で明らかなように、本発明の読取用露光装置は、エンドレスベルト８１上に２０個の読取光光源２３を配設して、読取光照射部８２を構成したため、エンドレスベルト８１を回転移動させることにより、第１の実施の形態と同様に、読取装置を大型化することなく、短時間で画像記録媒体１０の全面を読取光Ｌ１’により走査露光でき、画像１枚分の画像情報を読み取るために必要な時間を短縮でき、さらに読取光照射部８２を所望の速度で容易に移動させることができる。なお、読取光照射部８２に配設される読取光光源２３の数は２０個に限定されるものではなく、１つ以上の任意の個数の読取光光源を配設することができる。
【００５３】
本実施の形態においても、第１の実施の形態と同様に、画像情報の書込および読取を短時間で繰り返すことにより、使用者はＸ線画像をリアルタイムに表示される動画として観察することができる。また、静止画像を取得するような場合には、各ライン光源２６毎の点灯時間を増加し、より高精度な画像情報を取得することができる。
【００５４】
また、各実施の形態においては、読取光光源２３と前露光光源２５を別個に設けたが、１つの光源で、読取光光源と前露光光源を兼用してもよい。また、前露光光源の代わりに、例えば残留電荷や暗電流電荷などの不要電荷を消去するための露光（例えば特許文献１または特許文献２参照）や、読取走査露光を行う前に、読取レンジや暗電流補正データを取得するために行う露光等に使用する光源を用いることもできる。
【図面の簡単な説明】
【００５５】
【図１】第１の実施の形態である画像情報記録読取装置の概略構成図
【図２】走査露光部の部分断面図
【図３】第２の実施の形態である画像情報記録読取装置の概略構成図
【図４】走査露光部の部分断面図
【符号の説明】
【００５６】
１、２        画像情報記録読取装置
１０          画像記録媒体
２０、８０    走査露光部
２１          光照射部
２２          移動部
２３          読取光光源
２５          前露光光源
２６          ライン光源
４０、９０    走査露光制御部
５０          電流検出回路
６０          放射線照射部
７０          制御部
８１          エンドレスベルト
８２          読取光照射部
８３          前露光照射部
８５          ベルト移動部
【図１】
2005077777.tif 000003
【図２】
2005077777.tif 000004
【図３】
2005077777.tif 000005
【図４】
2005077777.tif 000006